(57)【要約】      （修正有）【課題】取り付け作業等が楽に行なえ、変形することがなく、外壁材の欠けを下に挟んだまま取り付けることが殆どなく、比較的安価に製造できる外壁材取付用ロングスタータを提供する。【解決手段】ロングスタータ１は、長尺状の金属板から成り、建築物の土台側に装着される装着部２と、その下縁から斜め前下方に突出する傾斜部３と、その下縁から下方に向けた立設部４と、その下縁から土台の外側面に当接する位置まで略水平に後退させた水平部５とが、夫々、金属板の長尺方向の全長に亘り一体形成されている。立設部４及び傾斜部３の長尺方向に所定間隔をおいた複数箇所には、切り起こしにより形成され、外壁材の下端を受ける外壁材受け部１０を備える。これにより、水平部５が突っ張ってロングスタータ１の変形を防ぐと共に、外壁材の欠けを下に挟んだまま取り付けることが殆どなくなる。【選択図】図１
0003145268.tif 000002
【実用新案登録請求の範囲】
【請求項１】
建築物の躯体に外壁材を取り付けるための長尺状の金属板から成る外壁材取付用ロングスタータであって、
建築物の土台側に装着される装着部と、
該装着部の下縁から斜め前下方に突出する傾斜部と、
該傾斜部の下縁から下方に向けた立設部と、
該立設部の下縁から土台の外側面又は土台に装着された水切りの装着面に当接する位置まで略水平に後退させた水平部とが、夫々、前記金属板の長尺方向の全長に亘り一体形成されており、
前記立設部及び前記傾斜部の長尺方向に所定間隔をおいた複数箇所には、切り起こしにより形成され、外壁材の下端を受ける外壁材受け部を備え、
前記外壁材受け部は、前記水平部の面に連続する略水平前方に延出する水平延出部と、これら水平延出部の前端縁から斜め前方上方に向けた係止部と、を有することを特徴とする外壁材取付用ロングスタータ。
【請求項２】
前記水平部の後端縁が下方に折曲されて、建築物の土台の外側面に当接する当接部が形成されていることを特徴とする請求項１に記載の外壁材取付用ロングスタータ。
【請求項３】
前記金属板の長尺方向の全長が１８５０ｍｍ±１００ｍｍの範囲であり、前記係止部が該全長方向に略等間隔をおいた９箇所乃至１２箇所に形成されていることを特徴とする請求項１又は請求項２に記載の外壁材取付用ロングスタータ。
【考案の詳細な説明】
【技術分野】
【０００１】
本考案は、建築物の土台の外側面躯体に固定されて外壁材を下受け支持する外壁材取付用ロングスタータに関する。
【背景技術】
【０００２】
最近、建築及び改装される家屋の施工においては、その殆どが窯業系のサイディングであるパネル状の外壁材（外装材とも呼ばれる）が使用されている。外壁材は、建築する建物の下地材に沿って複数枚が面を揃えて取り付けられる。最下段の外壁材の下端縁には、スタータと呼ばれる横長形状の取付金具が使用されている。
【０００３】
スタータの写真図と寸法が非特許文献１の第１１９頁の下段に記載されている。この文献によれば、スタータには、全長が３０３０ｍｍのロングスタータと、全長が８４．４ｍｍの短いスタータがある。また、この文献には、各種タイプの外壁材が多数、寸法とともに記載されており、その殆どが３０３０ｍｍの横幅に統一されている。全長が３０３０ｍｍのロングスタータは、１本で１枚の外壁材を下受け支持して下地材に固定するものであり、全長が８４．４ｍｍのスタータは、複数本で１枚の外壁材を下受け支持するものである。
【０００４】
しかしながら、全長が３０３０ｍｍのロングスタータは、１本で１枚の外壁材を下受け支持して土台に沿わせて固定することができるが、その長さ故に、取り付けや取扱いが不便であり、持ち運び中に周囲に当てて変形させ易い。
【０００５】
また、全長が８４．４ｍｍのスタータは、全長が短いために取扱いや持ち運びが容易であるが、例えば、１枚の外壁材の下端部の両端部と中央部とを計３本のスタータで下受け支持する場合には、各スタータを夫々高さと水平の向きを揃えて取り付けるという、面倒で手間が掛かる作業が必要である。
【０００６】
ロングスタータに関し、例えば、特許文献１に記載のスタータ金具、特許文献２に記載の取付具等が公知である。
【０００７】
図１１は特許文献１に記載のロングスタータであるスタータ金具６０Ａの取付事例と不具合を示す。このスタータ金具６０Ａは、ビス孔の前上方に前板部６１と上板部６２が設けられているため、スタータ金具６０Ａを土台柱にビス止めする際に、その前板部６１と上板部６２が邪魔になって、ビス止めの操作に手間が掛かる（課題１）。
【０００８】
また、このスタータ金具６０Ａは、外壁材Ｃ１による荷重が下板部６４の基部（角部）に集中する側面形状となっている。スタータ金具６０Ａは、外壁材Ｃ１による通常の荷重が加わっても変形しない肉厚に設計されているが、建築物の施工後、年数が経過して、上段の外壁材を下受け支持して下地材に固定している留付け金具の留付けの緩みや若干の変形などが生じると、上段の外壁材の荷重が最下段の外壁材Ｃ１に加わって、スタータ金具６０Ａに過大な荷重が加わり、下板部６４を下方に撓ませる。そのため、突き合って隣り合う外壁材Ｃ１相互の間に隙間が生じて、雨水が外壁材Ｃ１の内側に侵入し、これが原因で建築物内が濡れたり、カビが発生したり、下地材や土台等が腐食するおそれがあり、さらには、外壁材が脱落し易くなったり、費用がかかるメンテナンスが必要になることもある（課題２）。
【０００９】
図１２はスタータ金具６０Ａの別の不具合を示す。外壁材Ｃ１をスタータ金具６０Ａに取り付ける際に外壁材Ｃ１が前板部６１に当たるなどして外壁材Ｃ１の後下端縁に小さな欠けが生じることがあり、係止部６５と下板部６４が長尺方向に長い形状であるため、外壁材Ｃ１の欠けによるこぼれＣａ（小片）は、下板部６４の上に落下する可能性が高い。このため、これに気が付かずに外壁材Ｃ１をスタータ金具６０Ａで支持すると、外壁材Ｃ１と下板部６４との間に上記の欠けによるこぼれＣａが挟まって、外壁材Ｃ１の安定した水平姿勢が得られない（課題３）。
【００１０】
また、特許文献２に記載の取付具、及び非特許文献１に記載のロングスタータも、上記の課題２及び課題３と同じ課題を有する。
【００１１】
【非特許文献１】「外壁材総合カタログ２００８年版」、クボタ松下電工外装株式会社、２００８年、第１１９頁
【特許文献１】登実第３１２９２２１号公報
【特許文献２】特開２００７−４００２２号公報
【考案の開示】
【考案が解決しようとする課題】
【００１２】
本考案は、上記課題を解決するものであり、取り付け作業と持ち運びが楽に行なえ、外壁材による過大な荷重が加わっても変形することがなく、外壁材の取り付け施工において、外壁材の欠けを下に挟んだまま取り付けることが殆どなく、プレス成形で比較的安価に製造できる、外壁材取付用ロングスタータを提供することを目的とする。
【課題を解決するための手段】
【００１３】
上記目的を達成するために請求項１の考案は、建築物の躯体に外壁材を取り付けるための長尺状の金属板から成る外壁材取付用ロングスタータであって、建築物の土台側に装着される装着部と、該装着部の下縁から斜め前下方に突出する傾斜部と、該傾斜部の下縁から下方に向けた立設部と、該立設部の下縁から土台の外側面又は土台に装着された水切りの装着面に当接する位置まで略水平に後退させた水平部とが、夫々、前記金属板の長尺方向の全長に亘り一体形成されており、前記立設部及び前記傾斜部の長尺方向に所定間隔をおいた複数箇所には、切り起こしにより形成され、外壁材の下端を受ける外壁材受け部を備え、前記外壁材受け部は、前記水平部の面に連続する略水平前方に延出する水平延出部と、これら水平延出部の前端縁から斜め前方上方に向けた係止部と、を有するものである。
【００１４】
請求項２の考案は、請求項１に記載の外壁材取付用ロングスタータにおいて、前記水平部の後端縁が下方に折曲されて、建築物の土台の外側面に当接する当接部が形成されているものである。
【００１５】
請求項３の考案は、請求項１又は請求項２に記載の外壁材取付用ロングスタータにおいて、前記金属板の長尺方向の全長が１８５０ｍｍ±１００ｍｍの範囲であり、前記係止部が該全長方向に略等間隔をおいた９箇所乃至１２箇所に形成されているものである。
【考案の効果】
【００１６】
請求項１の考案によれば、ロングスタータの水平部の後端縁が土台の側壁に当接するように形成されているので、外壁材受け部に最下段の外壁材よりも大きな荷重が加わっても、水平部全体が土台の側面に突っ張って、外壁材受け部や傾斜部が下方や後下方に反ったり変形するのが抑えられる。また、外壁材受け部は、長尺方向に所定間隔をおいた複数箇所に形成されているので、外壁材の取り付け作業中に外壁材に欠けなどが生じても、欠けによるこぼれが外壁材受け部上に落下することが殆どなく、こぼれを下に挟んだまま外壁材が取り付けられることが殆どない。
【００１７】
請求項２の考案によれば、ロングスタータの水平部の後端縁が下方に折曲されて、建築物の土台の外側面に当接する板面部分よりなる当接部が形成されているので、前述した突っ張りによる変形防止の作用が更に効果的になる。また、長尺方向の全長に及ぶ長さの水平部と当接部が設けられるので、ロングスタータ全体の剛性が向上し、変形が防止される。
【００１８】
請求項３の考案によれば、ロングスタータの長尺方向の全長が１８５０ｍｍ±１００ｍｍの範囲であるので、従来のロングスタータよりも、取り付け作業と持ち運びを楽に行なうことができる。また、プレス成形で比較的安価に製造できる。
【考案を実施するための最良の形態】
【００１９】
（第１の実施形態）
図１（ａ）は本考案の第１の実施形態に係る外壁材取付用のロングスタータ１の構成を斜めから示し、図１（ｂ）はその一部を拡大して示す。図２はロングスタータ１の一部を拡大した正面を、図３は図２のＡ−Ａ線断面を、図４は図２のＢ−Ｂ線断面を示す。このロングスタータ１は、建築物の土台の外側面に装着して最下段の外壁材を下受け支持する長尺状の金属板から成る建築金物であり、ステンレス鋼板、鍍金鋼板、塗工鋼板、ガルバリウム鋼板等の金属板を材料とするプレス成形品である。図１〜図４に示すように、ロングスタータ１は、建築物の土台の外側面に装着する板面部分よりなる装着部２と、装着部２の下縁から斜め前下方に突出する傾斜部３と、傾斜部３の下縁から下方に向けた立設部４と、立設部４の下縁から土台の外側面に当接する位置まで略水平に後退させた水平部５と、水平部５の後縁から下方に向けた当接部６とを備え、これらが夫々、金属板の長尺方向の全長に亘り一体形成されている。そして、装着部２の長尺方向に所定間隔を設けた箇所にビス孔２ａが夫々開設されている。水平部５は、土台に水切りが装着されている場合、立設部４の下縁から水切りの装着面に当接する位置まで略水平に後退させたものとなっている。
【００２０】
更に、立設部４及び傾斜部３の長尺方向に所定間隔をおいた複数箇所には、外壁材受け部１０が、夫々形成されている。外壁材受け部１０は、水平延出部８と係止部９とからなり、立設部４の下端部から傾斜部３の高さ途中箇所に至る正面横長視矩形の内側部分が、金属板の切り起こしにより形成され、水平部５の面に連続する水平延出部８が前方に向けて折曲形成されると共に、各水平延出部８の前端縁から斜め前方上方には、係止部９が折曲形成される。なお、傾斜部３及び立設部４には、外壁材受け部１０を切り起こしたことによって、開口部７が形成される。
【００２１】
外壁材受け部１０は、施工する最下段の外壁材を下受け支持して係止するものである。傾斜部３は、外壁材を前記土台の外壁面から前方に浮かして取り付けるためのスペーサとして機能し、外壁材をロングスタータ１に取り付ける作業が円滑に行なわれるように傾斜面となっている。装着部２の長尺方向に所定間隔をおいた複数箇所には、ロングスタータ１を建築物の土台の外壁面にビス止めして装着するためのビス孔２ａが開設されており、ビス孔２ａは、外壁材受け部１０よりも数多く設けられている。
【００２２】
ロングスタータ１の長尺方向の全長Ｌ（図１（ａ）参照）は、必ずしも限定されるものではないが、最適とされる長さは１８５０ｍｍである。この全長のロングスタータ１は、従来の３０３０ｍｍのロングスタータと比較すると、６割程度の全長であり、このような全長に設定する理由は、取り付け作業と持ち運びが楽に行なえること、プレス成形で比較的安価に製造できることなどが挙げられる。また、この全長のロングスタータ１は、全長３０３０ｍｍの従来のものと比べて１本当たりの重量も大幅に軽減される。
【００２３】
外壁材受け部１０の横幅Ｗ（図２参照）は、６０ｍｍが好適とされ、図３に示す傾斜部３の前方に向けた突出高さＳ１は、約４ｍｍとされ、立設部４の前面位置から水平延出部８の前端に至る突出長さＳ２は約５ｍｍとされている。この突出高さＳ１と突出長さＳ２は、現在市販の外壁材の取付施工に対応させた寸法となっているが、この寸法に限定されるものではない。
【００２４】
ロングスタータ１の全体高さＨ１（図３参照）は、約２８ｍｍであり、当接部６の高さＨ２は３ｍｍとされているが、この寸法に限定されるものではない。
【００２５】
図５は外壁材受け部１０の配置を示す。全長Ｌが１８５０ｍｍのロングスタータ１に設けられる外壁材受け部１０は、例えば、ロングスタータ１の左右両端から各２５ｍｍ中央方向に寄った箇所に各１つ設けられ、更にこれら箇所から５０ｍｍ毎に等間隔をおいた箇所に夫々設けられる。外壁材受け部１０の箇所数は、９箇所に限定されるものではなく、例えば、１０〜１２箇所に設けてもよい。
【００２６】
図６は外壁材の建築物への取付事例を、図７はその側面断面を示す。建築物において、下地材４４が、土台４１とその上部の躯体４２とに取り付けられる。下地材４４の表面には防水シート４３が貼り付けられる。外壁材２０、２１は、面方向に突き合わせた状態で下地材４４に沿った外側位置に配設される。図示していないが、外壁材２０、２１は、横方向にも同様に突き合わせて配設される。ロングスタータ１は、最下段の外壁材２０の下端部を下地材４４に支持固定する。
【００２７】
ロングスタータ１は、長尺形状を有する水切り３０上部の装着面３０ａと防水シート４３とを挟んだ状態で、建築物の土台４１の外側面に沿う位置に水平姿勢でビスＢ１で止められる。最下段の外壁材２０は、その下端部を土台４１に固定されたロングスタータ１に下受けした状態で取り付けられる。外壁材２０の上端部は、下地材４４及び躯体４２にビスＢ２、Ｂ３で装着された留付け金具５０によって支持固定される。
【００２８】
上段の外壁材２１は、その下端部を留付け金具５０に下受けして係止され、外壁材２１の上端部もこれと同じ留付け金具５０で下地材４４に固定される。留付け金具５０は、左右両端部５０ａが前方に立ち上げられており、外壁材２１を下地材４４から前方に浮かした姿勢で下地材４４に取り付ける。
【００２９】
ロングスタータ１は、長尺方向に所定間隔をおいた複数箇所に、外壁材受け部１０が、前方に切り起こしにより形成されており、これら複数の外壁材受け部１０によって外壁材２０を下受して支持する。このため、外壁材受け部１０は、従来技術のロングスタータのような長尺方向に連続した形状になっておらず、外壁材２０の取り付け作業中に外壁材２０に欠けなどが生じても、欠けによるこぼれが外壁材受け部１０の上に落下する可能性は極めて小さい。そのため、こぼれを下に挟んだまま外壁材２０が取り付けられることが殆どない。
【００３０】
図８は外壁材の建築物への取付事例におけるロングスタータ１の付近を拡大した側面断面を示す。ロングスタータ１は、建築物の土台４１側に沿わせて水平姿勢でビスＢ１で固定され、水平部５の後端縁が土台４１側に当接する。このため、外壁材受け部１０に最下段の外壁材２０よりも大きな荷重が加わった場合でも、水平部５全体が土台４１側に突っ張って、外壁材受け部１０や傾斜部３が下方や後下方に反ったり変形するのが抑えられる。
【００３１】
下地材４４に取り付けられたロングスタータ１は、上記の水平部５の後端に加え、当接部６が下地材４４に当接した状態にあるため、最下段の外壁材２０から外壁材受け部１０に荷重が加わると、水平部５とその後端の当接部６が土台４１との間で突っ張って、前述した突っ張りによる変形防止の作用が更に効果的になる。また、ロングスタータ１は、長尺方向の全長に及ぶ長さの水平部５と当接部６が設けられるので、全体の剛性が向上し、変形が防止される。
【００３２】
外壁材２０は、下端縁に沿った内側箇所に低段部２０ａが形成され、この低段部２０ａに沿った下面中央に上下逆さＶ形状の被係合溝２０ｂが形成されている。最下段の外壁材２０をロングスタータ１と留付け金具５０によって下地材４４に支持固定する施工では、この低段部２０ａを、ロングスタータ１の係止部９と水平延出部８と立設部４とによって囲まれた部分に突入させて、低段部２０ａの下面を水平延出部８の上面に載せ置くと共に、被係合溝２０ｂに係止部９を係合させる。下地材４４に沿って配設された最下段の外壁材２０と下地材４４との間には、ロングスタータ１の立設部４が下地材４４の前方に立設される。立設部４は、外壁材２０を下地材４４の前方に浮かして配置させるスペーサになり、外壁材２０の上部も下地材４４から前方に浮かされる。このため、外壁材２０の背面と下地材４４との間に通気空間４５が形成される。
【００３３】
また、上段の外壁材２１と下地材４４との間にも同様の通気空間４５が形成される（図６及び図７参照）。通気空間４５は、ロングスタータ１の内側面に結露が発生するのを極力抑え、結露が発生した場合でも、通気空間４５内の通気性を良好にすることにより結露を蒸散させ、水滴を下方から外部に排出させる。
【００３４】
（第２の実施形態）
図９は本考案の第２の実施形態に係るロングスタータ１Ａの側面断面を示す。本実施形態のロングスタータ１Ａは、第１の実施形態と基本構造は同じであるが、建築物の土台の外側面に当接する当接部が形成されていない点が異なる。
【００３５】
このロングスタータ１Ａは、水平部５の後端縁が下地材４４に当接する形状になっている。このため、最下段の外壁材２０から加わる荷重によって立設部４と外壁材受け部１０とが下方や下後方に撓んだりするのを、水平部５が、突っ張って防止すると共に、ロングスタータ１Ａ全体の剛性を高めて変形を防止する。
【００３６】
（第３の実施形態）
図１０（ａ）は本考案の第３の実施形態に係るロングスタータ１Ｂの一部の正面を、図１０（ｂ）は図１０（ａ）のＡ−Ａ線断面を示す。本実施形態のロングスタータ１Ｂは、第１の実施形態と基本構造は同じであるが、装着部２に開設されているビス孔２ａとその周囲の部分と、傾斜部３の前方に向けた突出高さＳ３とが異なる。このロングスタータ１Ｂは、下地材４４にビスＢ１で取り付けられた後、最下段の外壁材２０から加わる荷重によってビスＢ１が下地材４４から抜け出さないように、装着部２に開設されているビス孔２ａの周囲面２ｂの下部を前方に傾斜させて、ビスＢ１を斜め下方に向けて下地材４４内に螺入するようにしてある。
【００３７】
傾斜部３は、最下段の外壁材２０の背面と下地材４４との間に設けられている通気空間４５が更に広くなるように、前方に向けた突出高さＳ３を１４ｍｍとしている。このように、通気空間４５を広くすることにより、建築物を建てる地域の自然環境や建築物の種類に応じて、外壁材２０の内側の通気性を向上することができる。
【００３８】
なお、本考案は、上記の実施形態の構成に限られず、考案の要旨を変更しない範囲で種々の変形が可能である。例えば、ロングスタータ１（１Ａ、１Ｂ）の取り付けは、建築物の土台への取り付けに限定されず、例えば、土台等に取り付けた木材である胴縁や、木材片である補助胴縁に取り付けてもよい。
【図面の簡単な説明】
【００３９】
【図１】（ａ）は本考案の第１の実施形態に係るロングスタータを一部破断した斜視図、（ｂ）は同ロングスタータの一部を拡大した斜視図。
【図２】同ロングスタータの一部を拡大した正面図。
【図３】図２のＡ−Ａ線断面図。
【図４】図２のＢ−Ｂ線断面図。
【図５】同ロングスタータの全体正面図。
【図６】同ロングスタータを用いた外壁材の取付事例を示す破断斜視図。
【図７】図６の側面断面図。
【図８】図７の一部分を拡大した側面断面図。
【図９】本考案の第２の実施形態に係るロングスタータの側面断面図。
【図１０】（ａ）は本考案の第３の実施形態に係るロングスタータの一部分を示した正面図、（ｂ）は（ａ）のＡ−Ａ線断面図。
【図１１】従来のロングスタータの取付状態における側面断面図。
【図１２】同ロングスタータの別の取付状態における側面断面図。
【符号の説明】
【００４０】
１、１Ａ、１Ｂ  ロングスタータ
２  装着部
３  傾斜部
４  立設部
５  水平部
６  当接部
８  水平延出部
９  係止部
１０  外壁材受け部
２０  最下段の外壁材
４１  土台
４２  躯体
【図１】
0003145268.tif 000003
【図２】
0003145268.tif 000004
【図３】
0003145268.tif 000005
【図４】
0003145268.tif 000006
【図５】
0003145268.tif 000007
【図６】
0003145268.tif 000008
【図７】
0003145268.tif 000009
【図８】
0003145268.tif 000010
【図９】
0003145268.tif 000011
【図１０】
0003145268.tif 000012
【図１１】
0003145268.tif 000013
【図１２】
0003145268.tif 000014